(57)【特許請求の範囲】
【請求項１】
先端に磁気ヘッドを支持するためのサスペンション先端要素を持ち、基端がマウントスペーサによりアクチュエータアームに固定され、かつ前記先端要素には前記磁気ヘッドに接続される回路配線パターンを有する磁気ヘッド用サスペンションにおいて、
前記マウントスペーサは、可撓性基板上に回路配線パターンが形成されてなり、一端が前記マウントスペーサに固定され他端が前記マウントスペーサ外に延び出した中継基板をそなえたことを特徴とする磁気ヘッド用サスペンション。
【請求項２】
請求項１記載の磁気ヘッド用サスペンションにおいて、
前記中継基板の反サスペンション先端要素側の端部は、前記アクチュエータアームの側面に沿って配置された磁気ヘッド用サスペンション。
【請求項３】
請求項１記載の磁気ヘッド用サスペンションにおいて、
前記マウントスペーサは平板状であり、その一面で前記アクチュエータアームに固定され、他の面に前記サスペンション先端要素が支持された磁気ヘッド用サスペンション。
【請求項４】
請求項１記載の磁気ヘッド用サスペンションにおいて、
前記マウントスペーサは平板状であり、その一方の面で前記アクチュエータアームへの固定および前記サスペンション先端要素の支持が行われた磁気ヘッド用サスペンション。
【請求項５】
請求項１記載の磁気ヘッド用サスペンションにおいて、
各別のマウントスペーサにより、同一のアクチュエータアームに互いに対向するように固定された一対のサスペンション先端要素をそなえ、
これら先端要素に前記中継基板が接続された磁気ヘッド用サスペンション。
【発明の詳細な説明】
【０００１】
【発明の属する技術分野】
本発明は、磁気ディスクの記録再生装置に用いられる磁気ヘッド用のサスペンションに係り、とくに磁気ヘッドが取り付けられるサスペンション先端要素をアクチュエータアームに機械的に固定し、かつ磁気ヘッドをリード・ライトアンプ部基板に中継接続する中継基板を持つようにマウントスペーサを構成した磁気ヘッド用サスペンションに関する。
【０００２】
【従来の技術】
この種の磁気ヘッド用サスペンションは、たとえば図８に示すように、ロードビーム２１の基端がマウントプレート２２によりアクチュエータアーム１１に固定され、またロードビーム２１の先端にはフレキシャ２３を設け、このフレキシャ２３には磁気ヘッドが形成されたスライダ２４を設ける。スライダ２４に形成された磁気ヘッドを外部回路、たとえばリード・ライトアンプ部基板に接続するため、リード線２５がロードビーム２１に設けられた支持フォーク２６によって一部が固定されて引き出されている。
【０００３】
このように、サスペンション１と一体的でないリード線２５を用いると、リード線２５の剛性がサスペンションの追従性に影響を与える。この結果、スライダ２４の追従性を損ね、また記録媒体の回転で引き起こされる空気の流れによる風圧がリード線２５にも作用することによって、スライダの浮上姿勢に悪影響が生じる。
【０００４】
そこで、特開平４−２１９６１８号公報に示されたような技術が提供されている。これは、磁気ヘッド素子からの引出配線であるリード線をサスペンション機構と一体構成とした、いわゆる回路配線一体型磁気ヘッド用サスペンションである。
【０００５】
この回路配線一体型磁気ヘッド用サスペンションでは、図９に示すように、マウント形状をヘッド素子が搭載されている側に向かって長く形成し、ロードビーム２８とアクチュエータアーム１０との間を、スペーサ機能を果たすマウントスペーサ１により連結固定して、フレキシャとロードビームとが一体的に構成された磁気ヘッド支持用のサスペンション先端要素を構成している。これにより、回路配線一体型磁気ヘッド用サスペンション２７の小型化、およびマウントスペーサを除くサスペンション部分の部品共通化による低コスト化を図っている。
【０００６】
そして、サスペンション機構および一体化されたリード線をリード・ライトアンプ部基板に接続するには、サスペンション機構と一体化されていない別のリード線を用いている。この構成により、磁気ヘッドから一体化されていないリード線により接続する場合に比べれば、サスペンションの追従性つまり磁気ヘッドの追従性をある程度向上することはできる。
【０００７】
【発明が解決しようとする課題】
しかし、このようにサスペンションからリード・ライトアンプ部基板までをリード線により接続すると、接続作業を自動化することが難しく、自動化によるコストダウンの障害となって不都合である。
【０００８】
本発明は上述の点を考慮してなされたもので、リード線を用いずに、磁気ヘッド用サスペンションの先端要素をリード・ライトアンプ部基板まで接続できるように構成されたマウントスペーサをそなえる磁気ヘッド用サスペンションを提供することを目的とする。
【０００９】
【課題解決のための手段】
上記目的達成のため、本発明では、
請求項１記載の、先端に磁気ヘッドを支持するためのサスペンション先端要素を持ち、基端がマウントスペーサによりアクチュエータアームに固定され、かつ前記先端要素には前記磁気ヘッドに接続される回路配線パターンを有する磁気ヘッド用サスペンションにおいて、前記マウントスペーサは、可撓性回路基板上に回路配線パターンが形成されてなり、前記回路配線パターンに接続される中継基板をそなえたことを特徴とする磁気ヘッド用サスペンション、
請求項２記載の、請求項１記載の磁気ヘッド用サスペンションにおける前記中継基板の反サスペンション先端要素側の端部は、前記アクチュエータアームの側面に沿って配置された磁気ヘッド用サスペンション、
請求項３記載の、請求項１記載の磁気ヘッド用サスペンションにおける前記マウントスペーサは平板状であり、その一面で前記アクチュエータアームに固定され、他の面に前記サスペンション先端要素が支持された磁気ヘッド用サスペンション、
請求項４記載の、請求項１記載の磁気ヘッド用サスペンションにおける前記マウントスペーサは平板状であり、その一方の面で前記アクチュエータアームへの固定および前記サスペンション先端要素の支持が行われた磁気ヘッド用サスペンション、および
請求項５記載の、請求項１記載の磁気ヘッド用サスペンションにおける各別のマウントスペーサにより、同一のアクチュエータアームに互いに対向するように固定された一対のサスペンション先端要素をそなえ、これら先端要素に前記中継基板が接続された磁気ヘッド用サスペンション、
を提供するものである。
【００１０】
【発明の実施の形態】
図１は、本発明の一実施例の外観形状を示したものである。この基本構成は、図９により示したものと同じく符号２７で示しているように、磁気ヘッドを搭載したフレキシャとロードビームとを一体化したサスペンション先端要素を持つ回路配線一体型の形式のものである。ただし、この場合回路配線の端子２９は、マウントスペーサ１との連結部に設けられており、マウントスペーサ１には回路配線パターン４が形成された中継基板としての可撓性回路基板９が設けられている。
【００１１】
可撓性回路基板９は、マウントスペーサ１の回路配線一体型磁気ヘッド用サスペンション２７との連結部から図示しないリード・ライトアンプ部基板まで延びてそれらの間を中継するもので、マウントスペーサ１の図示上面から側面に向かい、アクチュエータアーム１１の側面に沿って配置される。そして、可撓性回路基板９の一端には、回路配線一体型磁気ヘッド用サスペンション２７の端子２９に対向する位置に端子５が形成されており、金ワイヤ、アルミニウムワイヤなどの金属ワイヤ１２を用いたワイヤボンディング手法によって、両端子２９、５相互間が接続される。また、可撓性回路基板９の他端には、図示しないリード・ライトアンプ部基板に接続するための端子５′が設けられている。
【００１２】
図２は、図１の実施例におけるマウントスペーサ１および可撓性回路基板９のみを示したものである。マウントスペーサ１は、矩形平板状であってアクチュエータアーム（図示せず）寄りの部分に円筒状ボス２が形成されており、この円筒状ボス２を用いてアクチュエータアームへの連結が行われる。
【００１３】
そして、マウントスペーサ１の上面における回路配線一体型磁気ヘッド用サスペンション寄りの部分に、可撓性回路基板９の端子５が設けられた側の一端が固定される。可撓性回路基板９は全体平面形状がクランク状であり、マウントスペーサ１の上面から側面に曲がり、次いで図示しないアクチュエータアームに沿って延びるように配されるのに適した形状となっている。そして、可撓性回路基板９は、回路配線一体型磁気ヘッド用サスペンションとリード・ライトアンプ部基板との中継基板としての役割を果たす。
【００１４】
図３は、図２におけるＸ−Ｘ線に沿って切断した断面を示したものである。この図３により、可撓性回路基板９の構造が分かる。すなわち可撓性回路基板９は、可撓性絶縁ベース材３、回路配線パターン４および表面保護層８により構成され、表面保護層８は可撓性絶縁シート６が接着剤７により貼着されて形成される。この表面保護層８には、端子５を形成するための、回路配線パターン４まで達する穴が開けられている。そして、可撓性回路基板９は、図示していないが接着剤によりマウントスペーサ１の上面に一方の端部が接着される。
【００１５】
図４は、本発明の他の実施例の外観を示したものである。この場合、サスペンションは２つ設けられており、複数枚の記録媒体が設けられたドライブに対応する構造になっている。そして、この実施例では、アクチュエータアーム１１のサスペンション取付部に、上、下対向するように一対のマウントスペーサ１，１３が設けられ、これらマウントスペーサ１，１３に回路配線一体型磁気ヘッド用サスペンション２７、２７′がそれぞれ取り付けられる。
【００１６】
これら２つの回路配線一体型磁気ヘッド用サスペンションは、ともに同様の構造であり、可撓性回路基板９は２組の回路配線一体型磁気ヘッド用サスペンションに必要な回路配線を有する。そして、これら２つの回路配線一体型磁気ヘッド用サスペンション各々との接続のための回路配線部分は２叉に分かれており、リード・ライトアンプ部基板への接続部分は１つに纏まっている。
【００１７】
図５は、本発明の他の実施例の外観形状を示したものである。この場合、可撓性回路基板９は、回路配線一体型磁気ヘッド用サスペンション２７，２７′とマウントスペーサ１との連結部では、可撓性回路基板９は、回路配線一体型磁気ヘッド用サスペンション２７，２７′とマウントスペーサ１との間に挟み込まれるように配される。そして、マウントスペーサ１，１３では裏側、つまりマウントスペーサ１で言えば円筒状ボス２が突出する側に可撓性回路基板９が設けられる。したがって、回路配線一体型磁気ヘッド用サスペンション２７、２７′との接続構造は、マウントスペーサ１，１３に対する絶縁を考慮する必要がある。
【００１８】
図６は、図５の実施例におけるマウントスペーサ１と可撓性回路基板９との位置関係を示したものである。ここでは、マウントスペーサ１を裏返して示しているため、円筒状ボス２の突出部が上を向いており、可撓性回路基板９は、クランク形状が図示向こう側へと曲がっている。
【００１９】
図７は、図６におけるＹ−Ｙ線に沿って切断した断面図である。この構造は、円筒状ボス２の突出部との図における上下関係が逆である外は、図３の構造と基本的に同一構造である。すなわち、可撓性回路基板９は、可撓性絶縁ベース材３、回路配線パターン４および表面保護層８により構成され、表面保護層８は可撓性絶縁シート６が接着剤７により貼着されて形成される。この表面保護層８には、端子５を形成するための、回路配線パターン４まで達する穴が開けられている。そして、可撓性回路基板９は、図示していないが接着剤によりマウントスペーサ１の上面に一方の端部が接着される。
【００２０】
【発明の効果】
本発明は上述のように構成したため、リード線を用いることなく自動組立に適した構造であり、製造コスト低減に寄与するものである。
【００２１】
請求項１記載の構成によれば、回路配線一体型磁気ヘッド用サスペンションをリード・ライトアンプ部基板に接続する中継基板を設けたため、リード線による接続が不要となり、製造工程の自動化に適している。
【００２２】
請求項２記載の構成によれば、中継基板の反サスペンション先端要素側の端部が、前記アクチュエータアームの側面に沿って配置されているため、自動機器による中継基板の処理が容易であり、製造工程の自動化に適している。
【００２３】
請求項３記載の構成によれば、マウントスペーサの一面で前記アクチュエータアームに固定され、他の面に前記サスペンション先端要素が支持されているため、マウントスペーサの開放面でサスペンション先端要素と中継基板との接続を行うことができ、製造時の作業性がよい。
【００２４】
請求項４記載の構成によれば、マウントスペーサの一方の面でアクチュエータアームへの固定および前記サスペンション先端要素の支持が行われるため、アクチュエータアームおよび先端要素をセットしておいてそれら両者に対して一工程でマウントスペーサを固着することができる。
【００２５】
請求項５記載の構成によれば、各別のマウントスペーサにより、同一のアクチュエータアームに対向するように固定された一対のサスペンション先端要素をそなえ、これら先端要素に中継基板が接続されるようにしたため、複数の記録媒体を持つ磁気記録装置用の磁気ヘッドについてもリード線による接続が不要となり、製造工程の自動化に適している。
【図面の簡単な説明】
【図１】本発明の一実施例の外観形状を示した斜視図。
【図２】図１の実施例に用いるマウントスペーサおよび中継基板を示す斜視図。
【図３】図２のＸ−Ｘ線に沿って切断した断面を示す断面図。
【図４】本発明の他の実施例の外観形状を示した斜視図。
【図５】本発明の更に他の実施例の外観形状を示した斜視図。
【図６】図５の実施例に用いるマウントスペーサおよび中継基板を示す斜視図。
【図７】図６のＹ−Ｙ線に沿って切断した断面図。
【図８】従来の磁気ヘッドからリード線を用いて接続を行った磁気ヘッド用サスペンションの斜視図。
【図９】従来の回路配線一体型磁気ヘッド用サスペンションを示す斜視図。
【符号の説明】
１，１３  マウントスペーサ
２  円筒状ボス
３  可撓性絶縁ベース材
４  回路配線パターン
５，５′  端子
６  可撓性絶縁シート
７  接着剤
８  表面保護層
９  可撓性回路基板
１１  アクチュエータアーム
１２  金属ワイヤ
２１，２８  ロードビーム
２２  マウントプレート
２３  フレキシャ
２４  スライダ
２５  リード線
２６  支持フォーク
２７，２７′  回路配線一体型磁気ヘッド用サスペンション
２９  端子
【図１】
0003865846.tif 000002
【図２】
0003865846.tif 000003
【図３】
0003865846.tif 000004
【図４】
0003865846.tif 000005
【図５】
0003865846.tif 000006
【図６】
0003865846.tif 000007
【図７】
0003865846.tif 000008
【図８】
0003865846.tif 000009
【図９】
0003865846.tif 000010